(57)【要約】    【課題】  本発明は、利用者を安定して支持することができるとともに、利用者がベッドの起伏動作に対して、安全に使用することができる上半身起伏ベッドの提供を目的とする。    【解決手段】  起伏可能な上半身フレーム３３と、下半身フレーム３１、３２との対向端縁を連結したアッパーフレーム１１と、該アッパーフレーム１１を下側から支持する支持フレーム１２とを備えた上半身起伏ベッド１０であって、上記支持フレーム１２における上記下半身フレーム３１、３２を支持する側の下半身支持フレーム２２と、上記下半身フレーム３１、３２とを互いに上下方向に対接させ、上記支持フレーム１２における上記上半身フレーム３３を支持する側の上半身支持フレーム２１を、該上半身支持フレーム２１の所定の箇所のみが上記上半身フレーム３３と上下方向に対接するよう人体部部位の挟み込みが防止可能なスペースを離間させて形成した上半身起伏ベッド１０。  【選択図】    図１
2005021630.tif 000002
【特許請求の範囲】
【請求項１】
起伏可能な上半身フレームと、下半身フレームとの対向端縁を連結したアッパーフレームと、該アッパーフレームを下側から支持する支持フレームとを備えた上半身起伏ベッドであって、
上記支持フレームにおける上記下半身フレームを支持する側の下半身支持フレームと、上記下半身フレームとを互いに上下方向に対接させ、
上記支持フレームにおける上記上半身フレームを支持する側の上半身支持フレームを、該上半身支持フレームの所定の箇所のみが上記上半身フレームと上下方向に対接するよう、該上半身フレームに対して人体部部位の挟み込みが防止可能なスペースを離間させて形成した
上半身起伏ベッド。
【請求項２】
前記支持フレームを、該支持フレームの幅方向の両端部において、上記上半身フレームに対して上記上半身支持フレームがそれぞれ内側に離間するよう該上半身支持フレームを上記下半身支持フレームと連結して形成した
請求項１に記載の上半身起伏ベッド。
【請求項３】
前記支持フレームを、該支持フレームの幅方向の両端部において、それぞれ上記下半身支持フレームと上記上半身支持フレームとの間に前記スペースを備えた幅を有するスペーサを介して、該下半身支持フレームと該上半身支持フレームとを互いに連結して形成した
請求項１、又は、２に記載の上半身起伏ベッド。
【発明の詳細な説明】
【技術分野】
【０００１】
この発明は、例えば、上半身等の身体部位を起伏可能とするベッドに関する。
【背景技術】
【０００２】
従来、身体の不自由な人、あるいは、高齢者でも上半身を起立させる起伏動作を可能なベッドに関する様々な技術が提案されている。
【０００３】
例えば、先行技術１（特許文献１参照）の電動低床式昇降ベッドは、支持フレームの上面に背部床、腰部床、膝部床、脚部床等の各床部を電動低床式昇降ベッドの長手方向に載置する形態で構成されている（特許文献１において平面視で表した図３参照）。
【０００４】
ここで電動低床式昇降の幅方向について着目すると、各床部の幅は、支持フレームの幅よりも幅広に形成している。このため、支持フレームは、前後方向と左右方向で各床部の外枠に接触しているため、各床部材ごとに４つの部位で各床部材を支持している。
【０００５】
なお、上記電動低床式昇降ベッドは、背部を電動により起伏動作が可能であるとともに、膝部と脚部とをへの字形に押し上げることができる。
【０００６】
しかし、上記構成を採れば、床部上面で子供が跳ねたりした場合、各床部は、上記４つの部位による点接触によってのみ支持フレームに支持されているだけであるため、その分、床部側と支持部側の枠部材の強度を向上させる必要を要する。
【０００７】
上記構成に対して、床部と支持フレームとの幅方向を一致させて、床部の外周フレームと支持フレームとを対接させて全体を接触させると、より安定して床部を支持することができる。
【０００８】
ところが、このような、背部が起伏可能なベッドの場合は、背部を倒伏させたとき、床部の外周フレームと支持フレームとの間に指等の人体部位を挟み込んで怪我をするおそれがあるため危険である。
【０００９】
【特許文献１】特開２００１−２９１７５号公報
【発明の開示】
【発明が解決しようとする課題】
【００１０】
そこで、本発明は、利用者を安定して支持することができるとともに、利用者がベッドの起伏動作に対して、安全に使用することができる上半身起伏ベッドの提供を目的とする。
【課題を解決するための手段】
【００１１】
本発明は、起伏可能な上半身フレームと、下半身フレームとの対向端縁を連結したアッパーフレームと、該アッパーフレームを下側から支持する支持フレームとを備えた上半身起伏ベッドであって、上記支持フレームにおける上記下半身フレームを支持する側の下半身支持フレームと、上記下半身フレームとを互いに上下方向に対接させ、上記支持フレームにおける上記上半身フレームを支持する側の上半身支持フレームを、該上半身支持フレームの所定の箇所のみが上記上半身フレームと上下方向に対接するよう、該上半身フレームに対して人体部部位の挟み込みが防止可能なスペースを離間させて形成した上半身起伏ベッドであることを特徴とする。
【００１２】
上半身起伏ベッドは、折り畳んで収納可能なタイプ、あるいは、常時設置して使用するタイプのいずれのタイプであってもよい。
【００１３】
上記上半身フレームは、利用者の特に、背部を支持できるものであれば、上半身の起伏操作が手動、又は、電動のいずれの手段で行うタイプであってもよい。
【００１４】
また、上記下半身フレームは、例えば、利用者の尻を載置する尻部と、利用者の脚を支持する脚部とをそれぞれ単独に備えて形成してもよい。さらに、上記上半身フレームと同様に、例えば、屈曲した膝に対応する形状に上記脚部をへの字形に起伏可能に形成してもよい。
【００１５】
上記下半身支持フレームは、上記下半身フレームの下面の略全体が対接して支持可能に形成すればよい。
【００１６】
上記支持フレームは、上記上半身支持フレームを上半身起伏ベッドに対して外側、内側、あるいは下側等いずれの側で上記上半身フレームと離間させて形成してもよいが、好ましくは例えば、上記支持フレームを、該支持フレームの幅方向の両端部において、上記上記上半身フレームに対して上記上半身支持フレームがそれぞれ内側に離間するよう該上半身支持フレームを上記下半身支持フレームと連結して形成するとよい。
【００１７】
上記構成を採れば、上記上半身フレームに対して幅方向の両端部がそれぞれ内側に位置するよう離間させることで、上半身フレームを倒伏操作したとき、該上半身フレームと上半身支持フレームとに人体部位が挟み込まれることがない。よって、頻繁に接触する機会のあるベッドの両側の安全を確保することができる。
【００１８】
また、上半身フレームをベッドの内側に離間させることにより、ベッドの幅方向に上記上半身フレームが突き出すことがないため、ベッドを省スペースに確保することができる。
【００１９】
さらに、上述した上記上半身フレームに対して幅方向の両端部がそれぞれ内側に位置するよう離間させる手段として、好ましくは、上記支持フレームを、該支持フレームの幅方向の両端部において、それぞれ上記下半身支持フレームと上記上半身支持フレームとの間に前記スペースを備えた幅を有するスペーサを介して、該下半身支持フレームと上記上半身支持フレームとを互いに連結して形成すればよい。
【００２０】
上記構成を採れば、上記スペーサを用いて上記スペースを確保することができるため、上記支持フレームは、下半身支持フレームと上半身支持フレームとを互いに連結するために、互いの連結部を屈曲させた特殊な部材を用いる必要もないため容易に機能を実現することができる。
【００２１】
特に、上記スペーサに、例えば、断面視矩形のパイプ状に形成した角部材を適用すれば、一般にこのような角部材は、汎用品であるため、低価格で上記スペースを確保した支持フレームを実現することができる。
【００２２】
さらに、上記上半身支持フレーム、あるいは、上記下半身支持フレームが角部材と同様に、ともに矩形であれば、連結の際、接触部を面状に取り付けることができるためより強固に連結することができる。
【発明の効果】
【００２３】
この発明によれば、上半身起伏ベッドは、上半身フレームを起伏動作したとき、上半身支持フレームと離間させているため、ベッドの利用者、あるいは、介護人等のベッド周辺の人が上半身フレームと上半身支持フレームとの間に指等の人体部位が挟み込まれることがないため安心して使用することができる。
【００２４】
さらに、上半身起伏ベッドは、下半身支持フレームと下半身フレームとが上下方向で対接し、下半身支持フレームが下半身フレームの略全体を支持することができる。よって、利用者は、上半身起伏ベッドを安定して使用することができる。
【００２５】
さらに、上記構成により、支持フレームの強度を必要以上に確保する必要がない。よって、材質、フレーム太さ等を改善してコストも抑えることができるとともに、フレームを細くして見栄えも向上することができる。
【００２６】
また、上半身支持フレームを上半身フレームに対して内側に離間して上半身起伏ベッドを形成した場合、外側に離間させるのではないため、ベッドの幅が不用意に広くなることがないとともに、利用者は、上述するごとく安全に上半身の倒伏操作をすることができる。
【００２７】
しかも、この場合、上半身フレーム自体は、従来どおりの大きさを確保することができるため、利用者は、上半身フレームで形成する上半身の載上面に上半身を快適に傾倒することができる。
【発明を実施するための最良の形態】
【００２８】
この発明の一実施形態を、以下図面を用いて説明する。  
図１は、背部を起立操作した状態の背部起伏ベッド１０を示す。  
背部起伏ベッド１０は、人を載上する面の外枠となるアッパーフレーム１１と、該アッパーフレーム１１を下側で支持する支持フレーム１２とを備えて形成している。
【００２９】
上記支持フレームは、図２に示すごとく大別すると上半身支持フレーム２１と下半身支持フレーム２２とで形成している。
【００３０】
上半身支持フレーム２１は、支持フレーム１２における上半身を支持する側に対応するフレームであり、下半身支持フレーム２２は、下半身を支持する側に対応するフレームである。
【００３１】
上半身支持フレーム２１と下半身支持フレーム２２とはそれぞれ平面視コの字形に形成し、上半身支持フレーム２１は、上記下半身支持フレーム２２よりも幅小に形成している。
さらに、上半身支持フレーム２１と下半身支持フレーム２２とは上記各コの字形の開口部側を対向する形態で一体に取り付いている。
【００３２】
具体的には、上半身支持フレーム２１のコの字形の開口端における外側面２１ａと、下半身支持フレーム２２のコの字形の開口端における内側面２２ａとは、上記角部材２３を介して熱溶着している。なお、上記角部材２３は、上記上半身支持フレーム２１と下半身支持フレーム２２との間に人の手が挟み込まれることを防止可能な幅を有して形成している。
【００３３】
さらに、上記上半身支持フレーム２１は、上記コの字形の開口部を塞ぐ方向に中央部よりも開口部よりに角形の桟２４を横架している。上記桟２４と、該桟２４と対向する上半身支持フレーム２１における前端フレーム２１ｂとの間には、上半身支持フレーム２１の幅方向を略３等分配する位置に２本の丸形の桟２５、２５を横架している。さらに、上記２本の桟２５、２５の間を幅方向に背部起伏ベッド１０の前側に桟２６を横架している。
【００３４】
また、上記上半身支持フレーム２１に横架した桟２４の下面における上記各桟２５、２５の外側には後述する背部フレーム３３を支持する支持部材２７を、リンクピンによってそれぞれ枢着している。上記支持部材２７は、背部起伏ベッド１０の幅方向に位置する丸棒の水平杆２７ａとその左右両端に左右同形状の支持棒２７ｂ、２７ｂを該背部起伏ベッド１０の前側に延設して形成している。なお、支持棒２７ｂ、２７ｂの先端部には上方に向けてローラー２７ｃ、２７ｃがそれぞれ取り付けられている。
【００３５】
さらに、上記桟には、スクリューシャフト２８を、駆動装置２９を介して上下に所定角度回動可能に取り付けている。上記駆動装置２９は、電動モータ２９ａ、エンコーダ、ベルト等の伝達部を内蔵し、上記スクリューシャフト２８を所定の長さ伸縮制御することができる。
【００３６】
また、上記スクリューシャフト２８の先端部は、上記水平杆２７ａにおける中央部とリンクピンによって枢着している。
【００３７】
これにより、スクリューシャフト２８を伸縮動作させると、支持部材２７は桟２４を中心にして回動することができる。
【００３８】
また、電動モータ２９ａの駆動は、電源スイッチをOFFにすることによって任意に停止することができとともに、正転、逆転運動することができる。よって、背部起伏ベッド１０は、起伏操作ができるとともに、利用者の好みに応じて所定の角度で無段階に背部を固定することができる。
【００３９】
さらに、上半身支持フレーム２１における前端フレーム２１ｂの中央部には、コの字形の前側支持脚１３を立設した状態で熱溶着している。上記前側支持脚１３は、コの字形の開口端部にキャスタ１３ａを有している。前側支持脚１３における上半身支持フレーム２１よりも上方には、枕の落下を防止するとともに、意匠的に役割を果たす柵部材１３ｂを熱溶着している（図１参照）。さらに、前側支持脚１３を背部起伏ベッド１０に取り付けたとき、前側支持脚１３の上端部の中央部には、キャスタ１３ｃが該背部起伏ベッド１０の前方側に突き出して形成している。
【００４０】
また、下半身支持フレーム２２における後側（脚部側）の両側部には、逆Ｔ字形をして、下部の前後方向に２つのキャスタを有した後側支持脚１４を枢着している。  
上記下半身支持フレーム２２の長手方向の中央部側における左右両側には、楕円形が上側に突き出した形態のハンドル１５を幅方向に延設している。
【００４１】
さらに、上記支持フレーム１２には、長手方向の中間部において水平な設置杆１６ａの両端部から上方へ延設した外側に湾曲した形状の中間支持脚１６ｂの上端をブラケット１６ｃに熱溶着し、該ブラケット１６ｃは、背部起伏ベッド１０を逆V字形に折り畳み可能に支持フレーム１２に枢着している。
【００４２】
また、折り畳み動作を円滑に行うための付勢バネ１７を支持フレーム１２の前後両側と、上記設置杆１６ａとに、幅方向の左側に係止して側面視V字状に張架している。
【００４３】
次に、図３（ａ）、（ｂ）に示すごとく、アッパーフレーム１１は、人が載上したとき、脚部、尻部、背部に対応する部位で順に長手方向に脚部フレーム３１、尻部フレーム３２、背部フレーム３３をそれぞれ区分けすることができる。
【００４４】
なお、上記アッパーフレーム１１における背部フレーム３３は、上記上半身支持フレーム２１が支持する部位に対応し、脚部フレーム３１と尻部フレーム３２とは、上記下半身支持フレーム２２が支持する部位に対応する。
【００４５】
上記脚部フレーム３１は、背部起伏ベッド１０の長手方向の半分の大きさを有し、平面視コの字形に形成している。  
上記尻部フレーム３２は、背部起伏ベッド１０の長手方向の中央部を隔てた前側（頭部側）の左右両側に形成している。背部フレーム３３は、平面視コの字形に形成し、該コの字形の開口部を閉じる向きに桟３４を横架している。上記横架した桟３４と前端に位置する前側フレーム部の間には、図３（ｂ）に示すごとく、両端部において下側に湾曲した桟３５、３５を架設している。また、上記背部フレーム３３と上記尻部フレーム３２との対向端縁を回動軸として起伏可能に、該対向端部どうしを枢着して枢着部３６を構成している。
【００４６】
さらに、上述したアッパーフレーム１１には、人が載上可能とする木製の弾性板４１を幅方向に横架している。アッパーフレーム１１における脚部フレーム３１には、弾性板４１を長手方向に８本、同様に尻部フレーム３２には３本、背部フレーム３３には５本、それぞれ等間隔に横架している（図１参照）。  
なお、上記弾性板４１は、人が載上したとき弾力感が得られるよう湾曲変形させ上側に突起した状態に取り付けている。
【００４７】
上記弾性板４１のアッパーフレーム１１への取り付けは、図４に示すごとく上記弾性板４１を柔軟なゴム部材で形成した取り付け部材４２を介してアッパーフレーム１１に取り付けている。上記取り付け部材４２は、開口部４２ｂを備えた箱形に形成し、該箱形の下面には、取り付け部材４２の幅方向に対して板状の取り付け部４２ａが下側に突き出した形状で形成している。  
上記取り付け部材４２のアッパーフレーム１１への取り付けは、背部起伏ベッド１０の左右両側で取り付け部材４２の開口部４２ｂを対向させ、上記取り付け部４２ａとアッパーフレーム１１の内周面とを当接し、一本の螺子４２ｃでワッシャー４２ｄを介して螺合している。
【００４８】
また、上記脚部フレーム３１、及び、背部フレーム３３における弾性板４１の取り付け部材４２への取り付けは、１枚の弾性板４１の両端部を上記対向する開口部４２ｂにそれぞれ挿通して取り付けている。
【００４９】
但し、上記尻部フレーム３２においては、２本の弾性板４１を上下方向に積層した状態で取り付け部材４２へ取り付けている。具体的には、図５（ａ）に示すごとく上記２枚の弾性板４１のうち下方の弾性板４１における左端部を、上記対向する一対の取り付け部材４２における左側の開口部に挿通する。なお、上記下方の弾性板４１の右端部に関しては、自由端としておく。  
また、積層した上方の弾性板４１については、上記下方の弾性板４１における自由端とした側、すなわち、右側の取り付け部材４２の開口部４２ｂに該下方の弾性板４１の右端部を挿通し、左端部に関しては、自由端としている。  
さらに、上記２枚の弾性板４１を、該弾性板４１を包囲する２つ包囲部材４３が弾性板４１の長手方向にスライド可能に包囲している。
【００５０】
上記構成を採れば、図４（ａ）に示すごとく弾性板４１上に人が載上した場合、元々、弾性板４１が上方に湾曲させているため取り付け部材４２は、後方に傾倒していたが、該弾性板４１が下方に湾曲するとともに、該取り付け部材４２（特に取り付け部）は、柔軟性を有することから前方向にも傾倒することができる。  
さらに、図４（ｂ）に示すごとく、弾性板４１は、左右方向に対しても、取り付け部材４２（特に取り付け部４２ａ）が撓んで傾倒し易くなる。
【００５１】
特に、尻部に関しては、図５（ａ）に示すごとく、まず、上下方向に積層した弾性板４１に包囲した２つの包囲部材４３を互いに離間して、それぞれの弾性板４１の自由端に対応する位置までスライドさせる。
【００５２】
この状態では、例えば、図５（ｂ）に示すごとく弾性板４１の中心部に力を付与したとき、２つの包囲部材４３は各自由端（図５のC、D参照）を拘束して固定端とすることになり、該包囲部材４３の間（区間A）において上下に積層した弾性板４１は２枚一体に湾曲する。よって、その分、弾性板４１は、弾性し難くなる。
【００５３】
一方、例えば、図５（ｃ）に示すごとく、２枚の包囲部材４３をスライドして互いに弾性板４１の中央部で当接させる。
【００５４】
この状態では、例えば図５（ｄ）に示すごとく、弾性板４１の中心部に力を付与したとき、２枚の弾性板４１における取り付け部材４２に挿通していない側の端部は、包囲部材４３によって拘束されないため、自由端となる（図５のE、F参照）。よって、上下に積層した各弾性板４１の接触部分（区間B）において各板部材は単独で摺動しながら湾曲する。
【００５５】
すなわち、利用者は、弾性板４１ごとに有する２枚あるいは、一方の包囲部材４３をスライドすることにより、尻部における弾性力を好みに応じて調節することができる。
【００５６】
以上より、背部起伏ベッド１０は、マットを使用しなくても柔軟性を得ることができるとともに、マットを使用しないことにより、通気性を確保し、衛生面に優れた清涼感の有するベッドを構成することができる。
【００５７】
また、背部フレーム３３の起立状態から（図６（ａ）参照）、電源スイッチによって駆動装置における電動モータ２９ａを正転駆動すると、スクリューシャフト２８は、伸張する。上記スクリューシャフト２８の伸張動作により、支持部材２７（特に支持棒２７ｂ、２７ｂ）は上記桟２４を中心として倒伏する方向に回動する。このように、支持部材２７が倒伏していくに従って、支持棒２７ｂ、２７ｂ先端のローラー２７ｃ、２７ｃが背部フレーム３３の桟３５、３５を上方に摺動しながら背部フレーム３３は水平に倒伏した時点で停止することができる（図６（ｂ）参照）。
【００５８】
以上により、図７に示すごとく、背部起伏ベッド１０の背部を倒伏することができる。しかも、図８に示すごとく、上記上半身支持フレームは、上述したとおり人の手が挟み込み込まれることを防止可能とする幅（図８のＷ参照）を備えた上記角部材２３を介して上記下半身支持フレームに固着し、下半身支持フレームに対して内側に離間させている。
【００５９】
この構成を背部起伏ベッド１０左右両側において採用しているため、該左右側面において、背部フレーム３３を倒伏する際、利用者、あるいは、ベッドの周囲の人が金属製の背部フレーム３３と支持フレームとの間に手を挟まれることがなく、背部を安全に倒伏することができる。
【００６０】
また、上述したとおり、上半身起伏ベッド１０は、脚部フレーム３１、及び、尻部フレーム３２を下半身支持フレーム２２によって支持しているため、利用者は、安定して上半身起伏ベッド１０を使用することができる。一方、特に、前述した弾性板４１によって構成されるベッドは、利用者の載上面の柔軟性を確保できるため、通常、マットを用いる必要がない。
【００６１】
このようなベッドの場合、マット等で被覆しないため、ベッドの外周部は一般に金属製の部材で形成されるフレームで剥き出しになっている。しかし、上半身起伏ベッド１０は、背部フレーム３３を上記構成により上半身支持フレーム２１と離間させているため、背部フレーム３３を起伏する際においても、利用者は、フレームの間に直接、指が挟まれることがない。  
すなわち、通常、マットを用いないで使用するベッドに対して上述した構成は、特に有効であるといえる。
【００６２】
また、上述した背部を倒伏した背部起伏ベッド１０は、容易に折り畳んで収納することができる。すなわち、利用者は、図９に示すごとく該ハンドル１５における背部起伏ベッド１０の長手方向の中央側の部位を把持し、持ち上げると図９（ａ）に示すごとく背部を倒伏した状態であった背部起伏ベッド１０を図９（ｂ）に示す逆V字形にベッドの長手方向の中央部で折り畳むことができる。この際、上記付勢バネ１７の伸縮力を利用するため容易に、しかも、起立した状態に折り畳むためコンパクトに収納することができる。
【００６３】
上述の実施形態と、この発明の構成との対応において、
この実施形態の背部起伏ベッド１０は、この発明の上半身起伏ベッドに対応し、以下同様に、
背部フレーム３３は、上半身フレームに対応し、
脚部フレーム３１、及び、尻部フレーム３２は、下半身支持フレームに対応し、
角部材２３は、スペーサに対応するも、この発明は、上述の実施形態の構成のみに限定されるものではなく、多くの実施の形態を得ることができる。
【図面の簡単な説明】
【００６４】
【図１】背部起立状態の背部起伏ベッドの外観図。
【図２】支持フレームの平面図（ａ）、図２（ａ）におけるＡＡ矢視図（ｂ）。
【図３】アッパーフレームの平面図（ａ）、図３（ａ）におけるＡＡ矢視図（ｂ）。
【図４】取り付け部材の右側面図（ａ）、取り付け部材の正面図（ｂ）。
【図５】包囲部材を離間した図１におけるＡＡ矢視図（ａ）、矢視図図５（ａ）の弾性板に力を付与した図１におけるＡＡ矢視図（ｂ）、包囲部材を当接した図１におけるＡＡ（ｃ）、図５（ｂ）の弾性板に力を付与した図１におけるＡＡ矢視図（ｄ）。
【図６】背部起立状態の図２（ａ）におけるＡＡ矢視図（ａ）、背部倒伏状態の図２（ａ）におけるＡＡ矢視図（ｂ）。
【図７】背部倒伏状態の背部起伏ベッドの外観図。
【図８】角部材の取り付け状態を示す外観図。
【図９】背部起伏ベッドを折り畳む前の状態を現す左側面図（ａ）、背部起伏ベッドを折り畳んだ後の状態を現す左側面図（ｂ）。
【符号の説明】
【００６５】
１０…背部起伏ベッド
１１…アッパーフレーム
１２…支持フレーム
２１…上半身支持フレーム
２２…下半身支持フレーム
２３…角部材
３１…脚部フレーム
３２…尻部フレーム
３３…背部フレーム
【図１】
2005021630.tif 000003
【図２】
2005021630.tif 000004
【図３】
2005021630.tif 000005
【図４】
2005021630.tif 000006
【図５】
2005021630.tif 000007
【図６】
2005021630.tif 000008
【図７】
2005021630.tif 000009
【図８】
2005021630.tif 000010
【図９】
2005021630.tif 000011